(57)【特許請求の範囲】
【請求項１】
内部に浴槽（２）への給水路（Ａ）が形成された口金本体（１ｐ）と、内部に形成した受水部（５２）を前記給水路（Ａ）に連通させて口金本体（１ｐ）に回転自在に取り付けられたノズル部材（５）とを備え、
このノズル部材（５）には受水部（５２）から浴槽（２）内に向けて複数個の噴水穴（５６），（５８）が形成され、
複数個の噴水穴（５６），（５８）の一部又は全部が、ノズル部材（５）の回転中心軸（Ｃ）に対して偶力が働く方向に向けて形成され、
かつ前記給水路（Ａ）の吐水路（４ａ）に対向して水受け板（４４ａ）が設けられていることを特徴とした浴槽洗浄用ノズル。
【請求項２】
ノズル部材は全体的に薄肉に形成され、噴水穴部分は噴水穴が所定の長さの直線部を持つように厚肉に形成されている請求項１記載の浴槽洗浄用ノズル。
【請求項３】
ノズル部材は口金本体に回転自在に取り付けられた本体ノズルと、この本体ノズルに対して着脱可能なノズルカバーとで形成されている請求項１又は請求項２記載の浴槽洗浄用ノズル。
【請求項４】
ノズル部材には、複数個の外周噴水穴と複数個の前面噴水穴が形成され、この前面噴水穴の噴出方向が全て異なる方向に形成されている請求項１又は請求項２又は請求項３記載の浴槽洗浄用ノズル。
【発明の詳細な説明】
【０００１】
【発明の属する技術分野】
本発明は、浴槽を自動的に洗浄するための浴槽洗浄機能付き給湯装置に設けられる浴槽洗浄用ノズルに関する。
【０００２】
【従来の技術】
浴槽洗浄機能付き給湯装置では、浴槽内に洗浄水を噴出させるための浴槽洗浄用ノズルが浴槽壁に取り付けられている。
従来の浴槽洗浄用ノズルとしては、実開平５−６０４６５号公報に記載された考案が知られている。
この従来の浴槽洗浄用ノズルは、回転しながら洗浄水供給ラインからの高圧洗浄水を浴槽に向けて噴出するもので、その回転力を得るために、モータ駆動により回転する回転板に取り付けられていた。即ち、従来の浴槽洗浄用ノズルはモータを駆動源として回転するものであった。
【０００３】
【発明が解決しようとする課題】
しかしながら、従来の浴槽洗浄用ノズルにあっては、モータを駆動源として回転するため、モータが不可欠な構成部品となり、それだけコスト的に不利になるし、又、モータの取り付け構造やモータからの動力伝達構造が必要になるため、構造が複雑になり、メンテナンスの面でも不利になるという問題があった。
【０００４】
本発明は、上述のような従来の問題点を解決するためになされたもので、モータという別段の動力源を使用することなく、ノズル部材を洗浄水の勢いを利用して回転させることにより、コストの低減及び構造の簡略化を図ることができるようにした浴槽洗浄用ノズルを提供することを課題としている。
併せて、ノズル部材の重量を軽減しながら噴水穴からの噴出方向を安定させ、また、ノズル部材の内部の清掃や噴水穴の詰まりに伴う清掃等、ノズル部材のメンテナンスが楽に行なえるようにする。
【０００５】
【課題を解決するための手段】
上記課題を解決するために、本発明（請求項１）の浴槽洗浄用ノズルは、
内部に浴槽（２）への給水路（Ａ）が形成された口金本体（１ｐ）と、内部に形成した受水部（５２）を前記給水路（Ａ）に連通させて口金本体（１ｐ）に回転自在に取り付けられたノズル部材（５）とを備え、
このノズル部材（５）には受水部（５２）から浴槽（２）内に向けて複数個の噴水穴（５６），（５８）が形成され、
複数個の噴水穴（５６），（５８）の一部又は全部が、ノズル部材（５）の回転中心軸（Ｃ）に対して偶力が働く方向に向けて形成され、
かつ前記給水路（Ａ）の吐水路（４ａ）に対向して水受け板（４４ａ）が設けられている構成とした。
【０００６】
この浴槽洗浄用ノズルでは、浴槽の洗浄に際し、口金本体の給水路から洗浄水がノズル部材の受水部に流入し、この受水部から噴水穴を通して浴槽内に噴出し、浴槽内面を洗浄水の勢いで洗浄することになる。
この際、噴水穴がノズル部材の回転中心軸に対して偶力が働く方向に向けて形成されているため、ノズル部材は噴水穴からの噴射に伴う反力、即ち洗浄水の勢いで回転し、この噴水穴から洗浄水を旋回させながら噴出させることになる。
このように、噴水穴から噴出する洗浄水の勢いによってノズル部材が回転するため、モータを設ける必要がない。
【０００７】
又、本発明の浴槽洗浄用ノズルでは、ノズル部材は全体的に薄肉に形成され、噴水穴部分は噴水穴が所定の長さの直線部を持つように厚肉に形成されている態様（請求項２）がある。
ノズル部材の重量が重いと、その重量が噴水穴からの噴射に伴う反力の大きな抵抗となり、ノズル部材のスムーズな回転が得られにくい。そこで、ノズル部材の重量を軽減するために、ノズル部材を薄肉に形成することが考えられるが、単に薄肉にしただけでは噴水穴の長さが短くなる。この噴水穴の長さが短くなると、噴水穴からの噴出方向が安定せず、意図した方向への噴出ができないために洗浄効率が低下してしまうことになる。
これに対処するため、上記（請求項２）のように、ノズル部材を全体的に薄肉に形成し、噴水穴部分に所定長さの直線部を持つようにすると、ノズル部材の重量が軽減されるため、噴水穴からの噴射に伴う反力を十分に受けながらノズル部材をスムーズに回転させることができる。
又、噴水穴については、直線部によって洗浄水の噴出方向が安定し、確実に意図した方向へ洗浄水を噴出させることができる。
【０００８】
又、本発明の浴槽洗浄用ノズルでは、ノズル部材は口金本体に回転自在に取り付けられた本体ノズルと、この本体ノズルに対して着脱可能なノズルカバーとで形成されている態様（請求項３）がある。
従って、ノズルカバーを取り外せば、本体ノズルとノズルカバーを分離することができ、内部の受水部に溜った汚れや噴水穴の詰まりを清掃する等のメンテナンスを楽に行なうことができる。
【０００９】
又、本発明の浴槽洗浄用ノズルでは、ノズル部材には、複数個の外周噴水穴と複数個の前面噴水穴が形成され、この前面噴水穴の噴出方向が全て異なる方向に形成されている態様（請求項４）がある。
これにより、浴槽内にまんべんなく洗浄水を噴出することができ、浴槽内面の洗浄ムラをなくすことができる。
【００１０】
【発明の実施の形態】
以下、本発明の実施の形態を図面により説明する。図１は本発明の実施の第１形態である浴槽洗浄用ノズルを組み込んだ循環口金Ｎを示す断面図である。図２はこの循環口金Ｎを示す切欠正面図である。
【００１１】
図において、１ｐは口金本体で、二重管部材１と循環口カバー４を備えている。
前記二重管部材１は、内部に送水路１ａが形成された内管１０と、内部に返水路１ｂが形成された外管１１とを有している。
前記内管１０の外側端部に延長部１２が形成されると共に、内側端部に嵌合受け部１３が形成されている。
又、前記外管１１の外側端部にネジ部１４が形成されると共に、内側端部には環状突部を有するフランジ１６が形成されている。
そして、この二重管部材１は、外管１１を浴槽壁２０に形成した取り付け穴２１に浴槽２内から嵌合すると共に、接続金具３との間で浴槽壁２０を挾み込むことにより、この浴槽壁２０に取り付けられている。
【００１２】
前記接続金具３は、二重管部材１の外管１１に形成したネジ部１４に螺合する接続外管３０と、前記内管１０の延長部１２に嵌合する接続内管３１とで二重管構造に形成されている。
前記接続外管３０の内部には二重管部材１の返水路１ｂに連通する外側水路３ｂが形成され、接続内管３１の内部には二重管部材１の送水路１ａに連通する内側水路３ａが形成されている。
【００１３】
前記二重管部材１には、循環口カバー４が固定されている。この循環口カバー４は、外側端部に形成した突出筒部４０を二重管部材１の嵌合受け部１３に嵌合すると共に環状凸部１５に環状溝部４１を嵌合する本体カバー部４２と、この本体カバー部４２にネジ部４３で螺合する筒状部４４で形成されている。
この場合、突出筒部４０から筒状部４４にかけての内部に吐水路４ａが形成され、この吐水路４ａと前記送水路１ａが連通して浴槽２への給水路Ａが形成されている。
又、本体カバー部４２には下方延長部４５が形成され、この下方延長部４５の内部に吸水路４ｂが形成され、この吸水路４ｂと前記返水路１ｂが連通して浴槽２からの回収水路Ｂが形成されている。
尚、前記筒状部４４には、吐水路４ａに対向して水受け板４４ａが設けられ、この水受け板４４ａによって吐水路４ａから吐水された水がノズルカバー５１に直接当たらないように水の向きを放射方向に変えるようにしている。
【００１４】
又、前記下方延長部４５の片側面には、ホース接続穴４６が形成され、このホース接続穴４６を介して下方延長部４５内の吸水路４ｂに連通する吸水ホース６０が浴槽２の底部近傍まで延長するように接続されている。
そして、この吸水ホース６０の下端に嵌合した吸水口部材６１の底面に突起６２が突設され、この突起６２によって浴槽底面２０ａとの間に吸水間隙６３が保持できるようになっている。
【００１５】
又、前記下方延長部４５の他側面には、図２で示すように、内部がストレーナ組付穴４７に形成された筒部４８が突設され、前記ストレーナ組付穴４７を通して筒状のストレーナ６４が下方延長部４５内の吸水路４ｂに着脱可能に取り付けられるようになっている。
尚、ストレーナ組付穴４７は前記ホース接続穴４６と同軸状に形成され、ストレーナ６４の取り付け状態でストレーナ６４の先端が前記ホース接続穴４６を覆う状態になる。
前記筒部４８の外周にはキャップ４９が着脱可能に取り付けられるもので、このキャップ４９の内部奥端には枠材を筒状に枠組みした筒状枠６４ａの基端が嵌め込まれ、この筒状枠６４ａの先端から内部にストレーナ６４が着脱可能に収容されるようになっている。
筒部４８とキャップ４９とは、その嵌合状態で気密になるようにシールされている。尚、図中４９ａはＯリング、４９ｂはキャップレバーである。
【００１６】
又、前記循環口カバー４には、ノズル部材５が回転自在に取り付けられている。このノズル部材５は、本体ノズル５０とノズルカバー５１で形成されると共に、内部に前記吐水路４ａに連通する受水部５２が形成されている。
前記本体ノズル５０には、前記筒状部４４の外周に回転自在に嵌合する支持筒部５３と、この支持筒部５３から外周方向に拡大した大径部５４が形成され、そして、この大径部５４にノズルカバー５１をネジ部５５で着脱可能に螺合することにより、受水部５２が形成される。又、前記大径部５４には接線方向に開口した２個の外周噴水穴５６，５６が反対向きに形成されている。
又、ノズルカバー５１は、図３で示すように、内面中央部に谷状部５１ａが形成されると共に、外面両側に指掛け凹部５１ｂ，５１ｂが形成されることによって全体が薄肉に形成され、そして、谷状部５１ａと指掛け凹部５１ｂとの境に形成される厚肉部５１ｃ，５１ｃにそれぞれ４個づつ２列で合計８個の前面噴水穴５８が全て異なる角度（便宜上、８個の各前面噴水穴５８の角度をそれぞれθ１〜θ８、噴出力をＦで表示する）を持って開口するように形成されている。
尚、前記本体ノズル５０はノズルカバー５１と同様に全体が薄肉に形成され、外周噴水穴５６，５６の部分が厚肉部５０ａ，５０ａに形成されている。
このように、外周噴水穴５６及び前面噴水穴５８が厚肉部５０ａ，５１ｃに形成されているため、噴水穴５６，５８は所定の長さの直線部を持つことになる。
【００１７】
ここで、外周噴水穴５６及び前面噴水穴５８は、ノズル部材５の回転中心軸Ｃに対して偶力が働く方向に向けて形成されている。
即ち、外周噴水穴５６は、図４に示すように、ノズル部材５の回転中心軸Ｃから距離Ｌ１離れた位置に形成されると共に、回転接線方向に噴出力Ｆ１が生じるようにして、Ｌ１×Ｆ１×２の偶力が働くように形成されている。
又、前面噴水穴５６についても、図５に示すように、ノズル部材５の回転中心軸Ｃから距離Ｌ２離れた位置に形成されると共に、回転接線方向に噴出力Ｆの分力Ｆ２＝Ｆｓｉｎθが生じるので、Ｌ２×Ｆ（ｓｉｎθ１＋ｓｉｎθ２＋…＋ｓｉｎθ８）の偶力が働くように形成される。
【００１８】
尚、図中４２ａはチェーン係止部材で、本体カバー部４２の片側面に突設されている。このチェーン係止部材４２ａは、浴槽排水栓を繋ぐためのボールチェーン２２がノズル部材５を避けて通るように係止するもので、これにより、ボールチェーン２２がノズル部材５の回転に巻き込まれて、ノズル部材５の回転を阻害したり、騒音が発生するといったトラブルを防止できる。
このチェーン係止部材４２ａは、ボールチェーン２２がノズル部材５を避けて通るように係止できれば、この数や形状、それに配設位置（例えばキャップ４９の外面等）は適宜に決定することができる。
【００１９】
次に、図６は前記循環口金Ｎを用いた給湯装置７を示す説明図である。この給湯装置７では、循環口金Ｎの上方に追い焚き専用の循環口金Ｍが設けられている。
【００２０】
この給湯装置７には、自吸式循環ポンプ７０の吸い込み側に接続した戻り管７１と、吐出側に接続した行き管７２と、この行き管７２の途中に設けた浴水加熱器７３及び４方切替弁７４と、この４方切替弁７４に接続した追い焚き管７５及び排水管７６が設けられている。
そして、前記戻り管７１の基端が循環口金Ｎの外側水路３ｂに接続され、行き管７２の先端が循環口金Ｎの内側水路３ａに接続され、又、追い焚き管７５の先端が循環口金Ｍに接続され、排水管７６の先端は開放されている。
又、前記行き管７２の途中には、給湯用加熱器８０からの注水管８１が接続され、この注水管８１から分岐して蛇口８２への送水管８３が設けられている。尚、前記注水管８１の途中には、湯張り電磁弁８４及び逆止弁８５が設けられている。又、図中７８，７９，８６はそれぞれ湯温センサで、管内の湯温を検出し、設定温度以下の場合には、制御装置（図示せず）を介して加熱器７３，８０により湯温を設定温度まで上昇させるものである。
【００２１】
この給湯装置７では浴槽２の洗浄に際し、４方切替弁７４を（イ）の状態に切り替えておく。そして、自吸式循環ポンプ７０によって、予め浴槽２内で洗剤を混ぜた洗浄水を循環口金Ｎの吸水ホース６０から回収水路Ｂを経て戻り管７１、行き管７２を通り、再び循環口金Ｎの給水路Ａに流入させて、ノズル部材５の噴水穴５６，５８から浴槽２内に噴出させるという循環を行なう。
この際、ノズル部材５は噴水穴５６，５８からの噴射に伴う反力で回転し、この噴水穴５６，５８から洗浄水を旋回させながら噴出させることになる。尚、洗浄後のすすぎに際しては、４方切替弁７４を（ロ）の状態に切り替えて洗浄水を排水管７６から排出し、その後、４方切替弁７４を（イ）の状態に戻して注水管８１からの水を循環させ、これを数回繰り返すことになる。
【００２２】
次に、浴槽２への湯張りに際しては、４方切替弁７４を（イ）又は（ハ）の状態に切り替えておく。そして、給湯用加熱器８０で加熱したお湯を注水管８１から行き管７２、追い焚き管７５を通して循環口金Ｍから浴槽２内に出湯させる。
又、追い焚きに際しては、同様に４方切替弁７４を（ハ）の状態に切り替えておき、浴槽２内のお湯を吸水ホース６０から回収水路Ｂを経て戻り管７１、行き管７２、追い焚き管７５を通して循環口金Ｍから浴槽２内に出湯させるという循環を繰り返すものである。
従って、この給湯装置７では、循環口金Ｍを設けているため、循環口金Ｎの給水路Ａは噴出専用となり、回収水路Ｂは洗浄水の回収用及び追い焚き時の回収用となる。
【００２３】
以上のように構成され、使用される循環口金Ｎでは、浴槽２の洗浄に際し、洗浄水は給水路Ａからノズル部材５の噴水穴５６，５８を通して浴槽２内に噴出され、又、浴槽２内の洗浄水は回収水路Ｂを通して回収される。このように、１つの循環口金Ｎによって洗浄水の噴出と回収ができるものである。
【００２４】
そして、洗浄水の噴出に際し、噴水穴５６，５８がノズル部材５の回転中心軸Ｃに対して偶力が働く方向に向けて形成されているため、ノズル部材５は噴水穴５６，５８からの噴射に伴う反力、即ち洗浄水の勢いで回転し、この噴水穴５６，５８から洗浄水を旋回させながら噴出させることになる。
このように、噴水穴５６，５８から噴出する洗浄水の勢いによってノズル部材５が回転するため、モータを設ける必要がない。
【００２５】
又、ノズル部材５が全体的に薄肉に形成されているため、その重量が軽減される。従って、噴水穴５６，５８からの噴射に伴う反力を十分に受けながらノズル部材５をスムーズに回転させることができる。
【００２６】
又、噴水穴５６，５８が厚肉部５０ａ，５１ｃに形成されているため、所定の長さの直線部を持つことになり、洗浄水の噴出方向を安定させて洗浄水を確実に意図した方向へ噴出させることができる。
【００２７】
尚、実施の形態のように、ノズルカバーに形成した前面噴水穴５８の噴出角度が全て異なるように形成すると、浴槽２内にまんべんなく洗浄水を噴出することができ、浴槽２内面の洗浄ムラをなくすことができる。
【００２８】
又、ノズルカバー５１を取り外せば、本体ノズル５０とノズルカバー５１を分離することができ、内部の受水部５２に溜った汚れや噴水穴５６，５８の詰まりを清掃する等のメンテナンスを楽に行なうことができる。
【００２９】
次に、図７は本発明の実施の第２形態である浴槽洗浄用ノズルＰを示す断面図である。尚、実施の第１形態と同様の構成部分については図面の符号を同一にしている。
【００３０】
図において、１ｐは口金本体で、内部に送水路１ａが形成された管部材１と、この管部材１に嵌合され、内部に吐水路４ａが形成された筒状部材４４を備えている。そして、前記送水路１ａと吐水路４ａが連通して給水路Ａが形成されている。
尚、前記口金本体１ｐは、管部材１を浴槽壁２０に形成した取り付け穴２１に浴槽２内から嵌合すると共に、ナット３９で浴槽壁２０を挾み込むことにより、浴槽壁２０に取り付けられている。
【００３１】
前記口金本体１ｐには、ノズル部材５が回転自在に取り付けられ、その内部が前記吐水路４ａに連通する受水部５２に形成されている。
この場合、ノズル部材５は、その基端を筒状部材４４に回転自在に嵌合すると共に、内面中央部に形成した軸受穴５０ｂを水受け板４４ａに形成した突出軸４４ｂに回転自在に嵌合した支持構造となっている。
このように、ノズル部材５を２ヵ所で支持しているため、支持部分に偏荷重がかかるのを防止でき、ノズル部材５を安定よく支持することができる。
【００３２】
又、このノズル部材５には外周部分に接線方向に開口して２個の噴水穴５６，５６が反対向きに形成され、又、正面部分に左右４個づつ合計８個の噴水穴５８，５８が全て異なる角度で斜め方向に開口するように形成されている。
そして、このノズル部材５は全体が薄肉に形成されると共に、外周噴水穴５６部分が厚肉部５０ａに形成され、前面噴水穴５８部分が厚肉部５１ｃに形成されている点、及び噴水穴５６，５８がノズル部材５の回転中心軸Ｃに対して偶力が働く方向に向けて形成されている点において、その構成及び作用は実施の第１形態と同様である。
【００３３】
尚、この浴槽洗浄用ノズルＰを給湯装置に使用する場合、この浴槽洗浄用ノズルＰを浴槽の壁面に取り付けると共に、この浴槽洗浄用ノズルＰの下方に洗浄水回収機能を有する給湯用循環口金（図示せず）を取り付け、この給湯用循環口金で洗浄水を回収すると共に、通常の湯張りや追焚きを行なうことになる。
【００３４】
以上、本発明の実施の形態を図面により説明したが、具体的な構成はこれに限られることはない。例えば、ノズル部材に設けた噴水穴の数や位置等は適宜に決定することができる。
【００３５】
【発明の効果】
以上説明してきたように、本発明（請求項１）の浴槽洗浄用ノズルにあっては、上記のように構成したため、モータという別段の動力源を使用することなく、ノズル部材を洗浄水の勢いを利用して回転させることができる。これにより、コストの低減及び構造の簡略化を図ることができる。
【００３６】
又、ノズル部材を全体的に薄肉に形成すると共に、噴水穴部分を噴水穴が所定の長さの直線部を持つように厚肉に形成すると（請求項２）、ノズル部材の重量を軽減してスムーズに回転させながら噴水穴からの噴出方向を安定させることができる。
【００３７】
ノズルカバーを本体ノズルに対して着脱可能にした場合（請求項３）、ノズル部材の内部の清掃や噴水穴の詰まりに伴う清掃等、ノズル部材のメンテナンスを楽に行なうことができる。
【００３８】
又、前面噴水穴の噴出方向を全て異なる方向に形成した場合（請求項４）、浴槽内にまんべんなく洗浄水を噴出することができ、浴槽内面の洗浄ムラをなくすことができる。
【図面の簡単な説明】
【図１】  本発明の実施の第１形態である浴槽洗浄用ノズルを組み込んだ循環口金を示す断面図である。
【図２】  この循環口金を示す切欠正面図である。
【図３】  この循環口金に設けられたノズルカバーの断面図である。
【図４】  ノズル部材に形成した外周噴水穴の噴出方向を説明するための説明図である。
【図５】  ノズル部材に形成した前面噴水穴の噴出方向を説明するための説明図である。
【図６】  循環口金を用いた給湯装置を示す説明図である。
【図７】  本発明の実施の第２形態である浴槽洗浄用ノズルを示す断面図である。
【符号の説明】
Ｎ  一口循環口金（浴槽洗浄用ノズル）
Ｐ  浴槽洗浄用ノズル
Ａ  給水路
１ｐ  口金本体
４ａ  吐水路
４４ａ  水受け板
５  ノズル部材
５０  本体カバー
５０ａ  厚肉部
５１  ノズルカバー
５１ｃ  厚肉部
５２  受水部
５６  外周噴水穴（噴水穴）
５８  前面噴水穴（噴水穴）
Ｃ  回転中心軸
【図１】
0004335993.tif 000002
【図２】
0004335993.tif 000003
【図３】
0004335993.tif 000004
【図４】
0004335993.tif 000005
【図５】
0004335993.tif 000006
【図６】
0004335993.tif 000007
【図７】
0004335993.tif 000008